(57)【要約】      （修正有）【課題】鎖錠ばねを操作するために大きな操作力を必要とせず、薄型の電線接続用コネクタを提供する。【解決手段】ハウジングの接続孔１５から圧入した電線６０の一端部を接続バネ３０で付勢して接続金具に圧接させるとともに、前記接続バネの抜止用爪部３２で抜け止めする電線接続用コネクタである。特に、操作レバー４０の一端側に設けた回動軸部をハウジング内に回動可能に支持し、前記ハウジングに設けた操作孔を介して前記操作レバーを回動し、その他端部に位置する先端操作部４２で前記抜止用爪部３２を押圧して弾性変形させることにより、前記電線を前記ハウジングから抜き出し可能としてある。【選択図】図５
2010238518.tif 000002
【特許請求の範囲】
【請求項１】
ハウジング内に圧入した電線の一端部を接続バネで付勢して接続金具に圧接させるとともに、前記接続バネの抜止用爪部で抜け止めする電線接続用コネクタであって、
少なくとも１つの操作レバーの一端側に設けた回動軸部を前記ハウジング内に回動可能に支持し、前記ハウジングに設けた操作孔を介して前記操作レバーを回動し、その他端部に位置する先端操作部で前記抜止用爪部を押圧して弾性変形させることにより、前記電線を前記ハウジングから抜き出すことを特徴とする電線接続用コネクタ。
【請求項２】
回動可能に支持された一対の操作レバーを隣接させて形成した操作用スリットを、ハウジングの操作孔から操作可能に配置したことを特徴とする請求項１に記載の電線接続用コネクタ。
【請求項３】
電線の芯線の一端部を接続金具に直接圧接させたことを特徴とする請求項１または２に記載の電線接続用コネクタ。
【請求項４】
電線の芯線の一端部に一体化した接続用ピン端子を接続金具に圧接させたことを特徴とする請求項１または２に記載の電線接続用コネクタ。
【請求項５】
請求項１ないし４のいずれか１項に記載の電線接続用コネクタを介して敷設した床暖房用床板を相互に電気接続したことを特徴とする床暖房接続構造。
【発明の詳細な説明】
【技術分野】
【０００１】
本発明は電線接続用コネクタ、特に、床暖房の配線に適した電線接続用コネクタに関するものである。
【背景技術】
【０００２】
従来、床暖房の配線に使用される電線接続用コネクタとしては、例えば、特許文献１の図１，図２および図４に示すように、電線８を外す場合に、解除釦５の上面に突設した操作部５１と、ケース２のボディ２０に設けた窓２５の凹部２６との間に、工具９の先端を挿入して回動することにより、前記解除釦５をスライド移動させて鎖錠ばね４の一部を撓ませ、電線８を引き抜いていた。
【先行技術文献】
【特許文献】
【０００３】
【特許文献１】特許第３２９１１１８号公報
【発明の概要】
【発明が解決しようとする課題】
【０００４】
しかしながら、前述の端子台では、工具９の先端を回動させることにより、解除釦５の操作部５１を押してスライドさせる必要があるので、前記解除釦５の操作部５１の上面とケース２の上とを面一にする必要がある。特に、前記工具９の先端を回動しても破損しないように所定の強度を得ようとすると、前記ケース２のボディ２０の肉厚および前記操作部５１の高さ寸法を小さくできず、端子台の薄型化が容易でない。
また、前述の端子台では、工具９の回動支点から鎖錠ばね４に対する作用点までの距離が限定されるので、前記鎖錠ばね４を操作するために大きな操作力を必要とするという問題点がある。
本発明に係る電線接続用コネクタは、前記問題点に鑑み、大きな操作力を必要とせず、薄型の電線接続用コネクタおよびそれを用いた床暖房接続構造を提供することにある。
【課題を解決するための手段】
【０００５】
本発明に係る電線接続用コネクタは、前記課題を達成すべく、ハウジング内に圧入した電線の一端部を接続バネで付勢して接続金具に圧接させるとともに、前記接続バネの抜止用爪部で抜け止めする電線接続用コネクタであって、
少なくとも１つの操作レバーの一端側に設けた回動軸部を前記ハウジング内に回動可能に支持し、前記ハウジングに設けた操作孔を介して前記操作レバーを回動し、その他端部に位置する先端操作部で前記抜止用爪部を押圧して弾性変形させることにより、前記電線を前記ハウジングから抜き出す構成としてある。
【発明の効果】
【０００６】
本発明によれば、従来例のように、操作部材の一部を突出させる必要がなく、ハウジング内に操作レバーを埋設できるので、薄型の電線接続用コネクタが得られる。
また、前記ハウジングの操作孔から操作レバーを回動させることにより、その先端操作部で接続バネを操作するので、回動支点である回動軸部から作用点である先端操作部までの支点間距離を大きくでき、小さな操作力で電線を外すことができる。
【０００７】
本発明の実施形態としては、回動可能に支持された一対の操作レバーを隣接させて形成した操作用スリットを、ハウジングの操作孔から操作可能に配置した構成としてもよい。
本実施形態によれば、操作孔から操作用スリットを介して一対の操作レバーを同時に操作することにより、２本の電線を同時に抜き取ることができ、より一層、作業性が向上する。
【０００８】
本発明の他の実施形態としては、電線の芯線の一端部を接続金具に直接圧接させてもよく、また、電線の芯線の一端部に一体化した接続用ピン端子を接続金具に圧接させてもよい。
本実施形態によれば、接続作業が簡単になり、特に、前記電線の芯線の一端部に接続用ピン端子を一体化すれば、ヨリ線からなる芯線であっても、接続作業および分離作業が容易となり、作業効率が向上する。
【０００９】
本発明に係る床暖房接続構造としては、前述の電線接続用コネクタを介して敷設した床暖房用床板を相互に電気接続した構成としてある。
本発明によれば、薄型で配線作業が容易な電線接続用コネクタを使用することにより、現場施工が容易で嵩高くならない床暖房接続構造を得られるという効果がある。
【図面の簡単な説明】
【００１０】
【図１】図１Ａ，１Ｂは本発明に係る電線接続用コネクタの第１実施形態を示す全体斜視図、カバーを外した全体斜視図である。
【図２】図１Ａで示した第１実施形態の分解斜視図である。
【図３】図１Ａで示した第１実施形態の異なる角度から視た分解斜視図である。
【図４】図４Ａ，４Ｂは図１で示した電線接続用コネクタの接続方法を説明するための斜視図である。
【図５】図５Ａ，５Ｂは図１で示した電線接続用コネクタの接続方法を説明するためのカバーを外した状態を示す拡大斜視図である。
【図６】図６Ａ，６Ｂは本発明に係る電線接続用コネクタの第２実施形態に使用される接続用ピン端子を示す斜視図である。
【図７】図７Ａ，７Ｂは床暖房接続構造を説明するための平面図、床暖房用床板の裏面斜視図である。
【図８】図８Ａは床暖房用床板を縦方向に接続する場合を示す斜視図であり、図８Ｂは床暖房用床板を横方向に接続する場合を示す斜視図である。
【図９】図９Ａは本発明に係る第３実施形態を示す電線接続用コネクタの斜視図、図９Ｂは前記電線接続用コネクタを床暖房用床板に接続した状態を示す斜視図である。
【発明を実施するための形態】
【００１１】
本発明に係る電線接続用コネクタの第１実施形態を、図１ないし図５の添付図面に従って説明する。
本実施形態に係る電線接続用コネクタ１は、大略、図２に示すように、ベース１０と、接続金具２０と、接続バネ３０と、操作レバー４０と、カバー５０とからなり、同一軸心上に配置した一対の電線６０を２組、電気接続するものである。なお、前記ベース１０と前記カバー５０とでハウジングが構成される。
【００１２】
前記ベース１０は、その上面中央部に突設した台座部１１の両側に所定の間隔を空けて側壁部１２，１２を平行に並設してある。そして、前記台座部１１には、その略中央部に後述する操作レバー４０を回動可能に支持するための４つ軸孔１３を設けてある。さらに、前記側壁部１２の外側面には係合用爪部１４を突設してある。
【００１３】
前記接続金具２０は、図２および図３に示すように、前記台座部１１と前記側壁部１２との間に収納可能な床面積を有し、その上面内側縁部に接続部２１を切り起こしてある一方、その上面外側縁部に一対の平面略Ｌ字形状の位置決め部２２，２２を切り起こしてある。前記位置決め部２２は後述する接続バネ３０を係止して位置決めする。そして、前記接続金具２０は、前記ベース１０の台座部１１と側壁部１２との間に嵌合して組み付けられる。
【００１４】
前記接続バネ３０は、後述する電線６０の芯線６１を付勢する押圧部３１と、前記電線６０の芯線６１に係止して抜け止めする抜止用爪部３２とからなり、前記接続金具２０に組み付けることにより、前記位置決め部２２で位置決めされる。
なお、前記接続金具２０と前記接続バネ３０とは、同一の板状導電性バネ材を打ち抜いて一体に形成してもよいことは勿論である。
【００１５】
操作レバー４０は、平面略Ｌ字形状であり、その一端部に回動軸部４１を突設してある一方、その他端部を先端操作部４２としてある。そして、前記回動軸部４１を前記ベース１０の軸孔１３にそれぞれ挿入して回動可能に組み付けることにより、先端操作部４２が前記接続バネ３０の抜止用爪部３２に当接可能となる一方、隣接する一対の操作レバー４０，４０の間に操作用スリット４３が形成される（図１）。
【００１６】
カバー５０は、前記ベース１０を被覆可能な平面形状を有し、その中央部に一対の操作孔５１，５１を設けてある一方、その下面両側縁部に前記ベース１０の係合用爪部１４に係合可能な弾性係合部５２を突設してある。
【００１７】
そして、前記ベース１０の台座部１１と側壁部１２との間に接続金具２０、接続バネ３０を順次、組み付けて位置決めする。さらに、前記台座部１１の軸孔１３に操作レバー４０の回動軸部４１を挿入して回動可能に支持する。ついで、前記ベース１０の係合用爪部１４に前記カバー５０の弾性係合部５２を係合して組み付けることにより、接続孔１５（図１Ａ）が形成されるとともに、隣接する一対の操作レバー４０，４０の間に形成された操作用スリット４３が前記カバー５０の操作孔５１から目視可能となる。
【００１８】
前記電線接続用コネクタ１を介して電線６０を接続する場合には、電線６０の芯線６１を前記接続孔１５に挿入し、接続バネ３０の押圧部３１および抜止爪部３２を弾性変形させて圧入する。これにより、電線６０を接続金具２０の接続部２１に圧接させて電気接続できるとともに、接続バネ３０の抜止用爪部３２が電線６０の芯線６１に係止し、抜け止めする。
一方、前記電線６０を外す場合には、前記操作孔５１から目視できる操作用スリット４３に、例えば、図４に示すように、ドライバー６２の先端部を挿入して回動する。これにより、前記操作レバー４０が回動軸部４１を支点として回動し、その先端操作部４２が接続バネ３０の抜止用爪部３２を押圧して弾性変形させ、係止状態を解除することにより、電線６０を抜き出すことができる。
【００１９】
本実施形態では、ドライバー６２の先端部を一対の操作レバー４０，４０間の操作用スリット４３に挿入して回動することにより、一対の抜止用爪部３２，３２を同時に解除でき、２本の電線６０を同時に抜き取ることができるので、作業性が良い。
また、前記ドライバー６２を回動させた後は、作業者がドライバー６２から手を離しても、その状態が保持されるので、作業しやすい電線接続用コネクタ１が得られる。
【００２０】
なお、電線６０は、その芯線６１を直接、接続金具２０に電気接続する場合に限らず、図６に示すように、接続用ピン端子６２にヨリ線からなる芯線６１をカシメ固定し、前記電線接続用コネクタ１に電気接続してもよい（第２実施形態）。
また、電線６０は１本ずつ接続する場合に限らず、例えば、２本の電線を並べてユニット化し、２本の電線を同時に接離すれば、作業性がより一層向上するという利点がある。
【００２１】
次に、前記電線接続用コネクタ１を使用した床暖房接続構造を、図７および図８に基づいて説明する。
床暖房用床板７０（７１，７２）は、図７Ｂに示すように、その裏面の両側端部に形成した配線用凹所８０を裏板９０で部分的に被覆してある。前記配線用凹所８０は、その両側面にそれぞれ連通する配線溝８１，８２と、その一端面に連通する配線溝８３とを備えている。また、前記裏板９０に設けた略Ｌ字形状の切り欠き部９１は、その一端側に落とし込み用開口部９２を形成してある一方、その他端縁部を切り通してある。そして、前記配線用凹所８０内には、２本の電線６０，６０が引き出されている。
【００２２】
次に、図８Ａに示すように、暖房用床板７０，７１を縦方向に接続する場合には、前記床暖房用床板７０，７１から引き出した前記電線６０の芯線６１を電線接続用コネクタ１の接続孔１５にそれぞれ挿入する。そして、接続バネ３０の押圧部３１を弾性変形させることにより、電線６０を接続金具２０の接続部２１に圧接させて電気接続する。さらに、裏板９０の落とし込み用開口部９２から前記電線接続用コネクタ１を落とし込んだ後、側方にスライド移動させて抜け止めする。ついで、上方側に位置する床暖房用床板７１を反転させ、その雄実部８４を下方側に位置する床暖房用床板７０の雌実部８５に嵌合して接合一体化することにより、接続作業が完了する。以後、同様な接続作業を行う。
【００２３】
また、図８Ｂに示すように、暖房用床板７１，７２を横方向に接続する場合には、前述の説明と同様、前記床暖房用床板７１，７２から引き出した前記電線６０の芯線６１を電線接続用コネクタ１の接続孔１５にそれぞれ挿入する。そして、接続バネ３０の押圧部３１を弾性変形させることにより、接続金具２０の接続部２１に圧接させて電気接続する。さらに、裏板９０の落とし込み用開口部９２から前記電線接続用コネクタ１を落とし込んだ後、側方にスライド移動させて抜け止めする。ついで、上方側に位置する床暖房用床板７２を反転させ、その雌実部８５を下方側に位置する暖房用床板７１の雄実部８４に嵌合して接合一体化することにより、接続作業が完了する。以後、同様な接続作業を行う。
【００２４】
さらに、図９Ａ，９Ｂに示す第３実施形態のように、電線接続用コネクタ１に２対の電線６０および１対のアース線６４を接続してもよい。アース線６４の接続構造としては、例えば、特許第４２１４２４４号に示す係合体を介し、電線接続用コネクタ１のアース線用接続孔１６から接続してもよいことは勿論である。
【００２５】
なお、操作レバー４０は、前述のように略Ｌ字形状である必要なく、例えば、略三角形であってもよい。また、前記操作レバー４０の回動軸部４１は上下一対、かつ、同一軸心上に突設し、その上下端部を前記ベース１０および前記カバー５０で回動可能に支持してもよい。特に、カバー５０で前記操作レバー４０を回動可能に支持する場合には、軸孔は貫通孔であってもよく、また、単なる凹部であってもよい。
【００２６】
また、少なくとも前記カバー５０は透明であれば、接続状態を目視で確認でき、接続信頼性が向上するという利点がある。
【産業上の利用可能性】
【００２７】
本発明に係る電線接続用コネクタは、前述の床暖房接続構造に限らず、他の電線接続構造に適用できること勿論である。
【符号の説明】
【００２８】
１：電線接続用コネクタ
１０：ベース
１１：台座部
１２：側壁部
１３：軸孔
１５：接続孔
１６：アース線用接続孔
２０：接続金具
２１：接続部
２２：位置決め部
３０：接続バネ
３１：押圧部
３２：抜止用爪部
４０：操作レバー
４１：回動軸部
４２：先端操作部
４３：操作用スリット
５０：カバー
５１：操作孔
６０：電線
６１：芯線
６２：ドライバー
６３：接続用ピン端子
６４：アース線
７０，７１，７２：床暖房用床板
８０：配線用凹所
８１，８２，８３：配線溝
９０：裏板
９１：切り欠き部
９２：落とし込み用開口部
【図１】
2010238518.tif 000003
【図２】
2010238518.tif 000004
【図３】
2010238518.tif 000005
【図４】
2010238518.tif 000006
【図５】
2010238518.tif 000007
【図６】
2010238518.tif 000008
【図７】
2010238518.tif 000009
【図８】
2010238518.tif 000010
【図９】
2010238518.tif 000011